(57)【特許請求の範囲】
【請求項１】
扱室可動枠体側の前後部に所定間隔を存して並設した入口側板と出口側板との間に扱胴を回転自在に支持し、上記扱室可動枠体を固定支点軸を介して扱室固定枠体に上下揺動開閉自在に支持してなるコンバインにおいて、
上記固定支点軸を上記入口側板又は上記出口側板の近傍に位置して上記扱室固定枠体に設けられた前後の固定プレートに跨設して固定し、上記固定支点軸の一側方に位置して立設した揚穀筒の上下中途部を、当該固定支点軸に支持ブラケットを介して固定したことを特徴とするコンバイン。
【発明の詳細な説明】
【０００１】
【発明の属する技術分野】
本発明は、扱胴を内装した扱室可動枠体を、扱室固定枠体側に設けた固定支点軸を介して上下揺動開閉自在に支持するように構成した扱室を有するコンバインに係り、特に上記固定支点軸とその周辺の限られた空間部を有効に利用して、扱室からグレンタンクまたはホッパに至る間に立設された揚穀筒を強固に支持することができるコンバインに関するものである。
【０００２】
【従来の技術】
従来、立毛穀稈を刈取って脱穀処理するコンバインにおいては、円筒形の脱穀シリンダの外周に多数の脱穀処理歯を周設した構成の扱胴を、扱室内で回転駆動させて脱穀処理するように構成されているが、長時間に亘る脱穀作業で扱胴に排藁屑が絡みついたり、扱室下方に張設した受網への目詰まりが生じた場合には、扱室を分解しないと、扱胴や受網の点検、保守作業を行うことができず、また当該作業完了の後にも再び煩わしい扱室の組立作業を行わなければならないものであった。
【０００３】
そこで、上記点検、保守を行う上での不具合を解消するため、扱室を上下揺動する扱室可動枠体と扱室固定枠体とに上下に分割し、扱室可動枠体側に回転自在に扱胴を支持させて、点検、保守作業時に扱室可動枠体を上動開放することにより作業性を向上させるようにした構成のものが提案されている。
【０００４】
一方、上記扱室とその側方に位置して配設されるグレンタンクまたはホッパとの間の限られた空間部には、扱室の下部から取り込んだ脱穀済の籾を螺旋送り機構を介して上昇移動し、頂部の投入ホルダからグレンタンクまたはホッパに籾を放出する揚穀筒が立設されているが、その固定構造としては、下部を扱室側、上部をグレンタンクまたはホッパ側にそれぞれ支持するようになっているため、その上下中途部の支持構造が充分ではなく、特に上記グレンタンクまたはホッパを機体外側方に回動開放可能に構成して点検、保守の作業性を向上させたコンバインでは、当該部の開放時に揚穀筒の下部のみが扱室側に支持された状態となって、不要は外力が揚穀筒に加わった際に、該揚穀筒内の螺旋送り機構および扱室側からの継送機構の破損を誘発する危惧を有するものであった。
【０００５】
【発明が解決しようとする課題】
本発明は、上記の如き実状に鑑み創案されたものであって、その目的とするところは、限られた空間部を有効に利用しつつ、脱穀作業に連繋して稼動する揚穀筒を剛性の高い構造で支持することができ、扱室、揚穀筒およびグレンタンク等の各部における剛性を相互に補完して、脱穀作業中の振動や共振現象を伴うことなく効率良く脱穀、搬送を行うことができると共に、上記各部の点検、保守に当っては、揚穀筒を扱室側に強固に支持させた状態とすることができ、当該揚穀筒の下部構造に無理な機械的負担を与えることがないコンバインを提供しようとするものである。
【０００６】
【課題を解決するための手段】
上記の課題を解決するため、本発明が採用した技術的手段は、扱室可動枠体側の前後部に所定間隔を存して並設した入口側板と出口側板との間に扱胴を回転自在に支持し、上記扱室可動枠体を固定支点軸を介して扱室固定枠体に上下揺動開閉自在に支持してなるコンバインにおいて、上記固定支点軸を上記入口側板又は上記出口側板の近傍に位置して上記扱室固定枠体に設けられた前後の固定プレートに跨設して固定し、上記固定支点軸の一側方に位置して立設した揚穀筒の上下中途部を、当該固定支点軸に支持ブラケットを介して固定したことを特徴とするものである。
【０００７】
【発明の実施の形態】
本発明の構成を、図面に示した一実施例について詳細に説明する。
図１および図２において、１はコンバインであって、該コンバイン１はクローラ走行装置２を備えた機体フレーム３の前部に、複数の穀稈梳起し体４、分草体５等からなる前処理部６が昇降自在に装着されており、その後方には、運転操作部７を前部および側部に設けた運転席８が配設されていると共に、上記運転席８後部の一側にはグレンタンク９が配設され、かつ該グレンタンク９の他側には揚穀筒１０ａを併設した脱穀部１０が設けられている。
【０００８】
また上記グレンタンク９の後方には、縦送りパイプ１１が立設されており、脱穀部１０で脱穀選別処理された籾を、揚穀筒１０ａにより揚上搬送してグレンタンク９に貯留した後、グレンタンク９の底部に配設した横送り螺旋９ａから縦送りパイプ１１に継送し、排出オーガ１２の排出口１２ａから機外に放出するように構成されていると共に、上記縦送りパイプ１１の後方には、グレンタンク９の後壁に固着した連結リング１３´と対をなす回動支持リング１３と回動支持プレート１４を設けた支柱１５が立設されており、上記グレンタンク９を当該縦送りパイプ１１を支点として外側方に回動可能としている。
【０００９】
上記脱穀部１０内には、図３および図４に示すように、カバーケース１６の両側面に入口側板１７ａ、出口側板１７ｂを所定間隔を存して並設してなる扱室可動枠体１８と、内面部を扱胴１９の外周に沿って曲成してなる扱室固定枠体２０とからなる扱室２１が形成されており、上記扱室可動枠体１８内には両側板１７ａ、１７ｂを貫通する図示しない回転軸を介して扱胴１９が回転自在に軸支されると共に、上記扱室固定枠体２０の上部一側には、扱室可動枠体１８の回動基端側を軸支する固定支点軸２２が軸架されており、当該固定支点軸２２を回動中心として、扱室可動枠体１９を同図に示す矢印方向に扱胴１９とともに上下揺動開閉自在に支持する構成となっている。
【００１０】
上記固定支点軸２２は、図５（ａ）に示すように、各側板１７ａ、１７ｂの近傍に位置して扱室固定枠体２０の上部に配設した固定プレート２３、２３間に跨設されており、かつ当該固定支点軸２２の一方の余長部は出口側板１７ｂ側の後方に向けて延設されていると共に、上記固定支点軸２２の一側方でグレンタンク９との間に形成される空間部２４内には、機体前方側にやや傾斜した状態で前記揚穀筒１０ａが立設されている。
【００１１】
上記揚穀筒１０ａには、図６および図７に示すように、扱室２１の下部に設けた継送機構２５を介して脱穀済の籾を上昇移動させる螺旋送り機構２６が内装されており、その頂部に設けた投入ホルダ２７をグレンタンク９の投入口９ａに密接させて籾を揚上搬送すると共に、上記揚穀筒１０ａの上下中途部は、支持ブラケット２８を介して固定支点軸２２の上部に固定されている。
【００１２】
上記支持ブラケット２８は、図８（ａ）（ｂ）に示すように、Ｌ字状のアングル材からなるブラケット本体２８ａと、揚穀筒１０ａの外周面に沿う支持凹部２９を形成した支持プレート２８ｂとからなり、当該支持プレート２８ｂをブラケット本体２８ａの一面側に螺着して構成されている。
なお、上記揚穀筒１０ａの中途部を固定する支持ブラケット２８の下方位置には、同図（ｃ）（ｄ）に示すように、支持プレート２８ｂと同一形状をなす補助ブラケット２９が扱室固定枠体２０側に螺着されて揚穀筒１０ａの固定構造を補強するようになっている。
【００１３】
本発明は叙上の如く構成されているから、脱穀部１０において脱穀処理された籾は、揚穀筒１０ａにより揚上搬送されてグレンタンク９に貯留された後に、グレンタンク９の底部に配設した横送り螺旋９ａから縦送りパイプ１１に継送され、更に排出オーガ１２の排出口１２ａから機外に放出される。そして、このような一連の籾搬送作動中において、上記揚穀筒１０ａの上下中途部は、固定支点軸２２の上部に固定した支持ブラケット２８を介して扱室２１側に強固に固定されるので、脱穀作業に連繋して稼動する扱室２１、揚穀筒１０ａおよびグレンタンク９の当該各部間の剛性を相互に補完し得て、継送機構２５および螺旋送り機構２６の移送稼動中において振動や共振現象を誘発することがない。
【００１４】
またグレンタンク９の点検、保守に当って、グレンタンク９を外側方に回動させて揚穀筒１０ａから分離する際にも、当該１０ａ揚穀筒を扱室２１側に強固に支持させた状態とすることができるので、揚穀筒１０ａの下部構造に無理な機械的負担を与えることなくグレンタンク９の点検、保守作業を行うことができる。
【００１５】
【発明の効果】
これを要するに本発明は、扱室可動枠体側の前後部に所定間隔を存して並設した入口側板と出口側板との間に扱胴を回転自在に支持し、上記扱室可動枠体を固定支点軸を介して扱室固定枠体に上下揺動開閉自在に支持してなるコンバインにおいて、上記固定支点軸を上記入口側板又は上記出口側板の近傍に位置して上記扱室固定枠体に設けられた前後の固定プレートに跨設して固定し、上記固定支点軸の一側方に位置して立設した揚穀筒の上下中途部を、当該固定支点軸に支持ブラケットを介して固定したから、簡単な構造でありながら、脱穀作業に連繋して稼動する揚穀筒を剛性の高い構造で支持することができ、しかも扱室を構成する固定支点軸を利用するので、限られた空間部を有効に利用して当該各部における剛性を相互に補完し得て、脱穀作業中の振動や共振現象を伴うことなく効率良く脱穀、搬送を行うことができると共に、揚穀筒とこれに続くグレンタンクの点検、保守に当っては、上記各部を相互に分離する場合にも揚穀筒を扱室側に強固に支持させた状態とすることができるので、当該揚穀筒の下部構造に無理な機械的負担を与えることがなく、扱室から揚穀筒を経てグレンタンクに至る円滑な搬送作用を容易に保持することができる、という極めて有用な新規的効果を奏するものである。
【図面の簡単な説明】
【図１】コンバインの全体側面図である。
【図２】（ａ）はコンバインの後面図である。
（ｂ）はグレンタンクの開閉状態を示す要部平面図である。
【図３】扱室の一部省略前面図である。
【図４】扱室の一部省略後面図である。
【図５】（ａ）は扱室、揚穀筒およびグレンタンクの配置状態を示す一部省略要部平面図である。
（ｂ）は揚穀筒の中途部の取付状態を示す要部斜視図である。
【図６】揚穀筒を支持する支持ブラケットおよび補助ブラケットの取付状態を示す要部側面図である。
【図７】揚穀筒内の構造およびこれを支持する支持ブラケットおよび補助ブラケットの取付状態を示す要部側面図である。
【図８】（ａ）は支持ブラケットの平面図である。
（ｂ）は同上正面図である。
（ｃ）は補助ブラケットの平面図である。
（ｄ）は同上正面図である。
【符号の説明】
１      コンバイン
１０ａ  揚穀筒
１７ａ  入口側板
１７ｂ  出口側板
１８    扱室可動枠体
１９    扱胴
２０    扱室固定枠体
２２    固定支点軸
２８    支持ブラケット
【図１】
0003865100.tif 000002
【図２】
0003865100.tif 000003
【図３】
0003865100.tif 000004
【図４】
0003865100.tif 000005
【図５】
0003865100.tif 000006
【図６】
0003865100.tif 000007
【図７】
0003865100.tif 000008
【図８】
0003865100.tif 000009